(57)【特許請求の範囲】
【請求項１】
時間軸に沿って互いに異なる２つのフィールドにおける入力映像信号間の動き量と、信号源に応じて規定された所定の動き量パターンとを比較することにより、前記入力映像信号間の動き量と前記動き量パターンとの一致度または不一致度を求める比較部と、
前記比較部において求められた一致度または不一致度に基づいて、判別の確かさ度合いまたは不確か度合いを考慮しつつ、前記入力映像信号の信号源を判別する判別部と、
前記比較部の動作を制御する制御部と
を備え、
前記制御部は、
前記入力映像信号において、所定の動きしきい値以下のフィールド数をカウントすることにより、入力映像信号における低動き量の度合いを判定する低動き量判定部と、
前記入力映像信号において、所定の輝度しきい値以下のフィールド数をカウントすることにより、入力映像信号における低輝度の度合いを判定する低輝度判定部と、
前記入力映像信号間の動き量のデータが定期的に得られているか否かを判定する周期判定部と、
前記低動き量判定部、前記低輝度判定部および前記周期判定部による判定結果に基づいて、前記比較部の動作の実行または停止を制御する動作処理部と
を有する信号判別装置。
【請求項２】
入力映像信号において、時間軸に沿った前後１フィールド間の動き量を格納する第１の格納部と、
入力映像信号において、時間軸に沿った前後２フィールド間の動き量を格納する第２の格納部と、
時間軸に沿った前後１フィールド間の動き量パターンおよび時間軸に沿った前後２フィールド間の動き量パターンをそれぞれ、信号源に応じたパターン構造で発生させるパターン発生部と、
前記前後１フィールド間の動き量と前記前後２フィールド間の動き量とのうちの少なくとも一方からなる入力映像信号間の動き量と、前記前後１フィールド間の動き量パターンと前記前後２フィールド間の動き量パターンとのうちの少なくとも一方からなる所定の動き量パターンとを比較することにより、前記入力映像信号間の動き量と前記動き量パターンとの一致度または不一致度を求める比較部と、
前記比較部において求められた一致度または不一致度に基づいて、判別の確かさ度合いまたは不確か度合いを考慮しつつ、前記入力映像信号の信号源を判別する判別部と
を備え、
前記前後１フィールド間の動き量パターンおよび前記前後２フィールド間の動き量パターンがそれぞれ、フィールドごとの動き量のしきい値と、フィールドごとの等号または不等号のデータと、を含んで構成されている
信号判別装置。
【請求項３】
前記動き量パターンが、複数の信号源に対応して複数設けられており、
前記比較部は、前記入力映像信号間の動き量を、複数の動き量パターンとそれぞれ比較することにより、複数の信号源に対応した複数の一致度または不一致度を求め、
前記判別部は、求められた複数の一致度または不一致度に基づいて、複数の信号源に対する入力映像信号の判別を同時に行う
請求項１または請求項２に記載の信号判別装置。
【請求項４】
前記判別部は、前記複数の一致度または不一致度に対してそれぞれ重み付け処理を行い、この重み付け処理を行った後に前記確かさ度合いまたは不確かさ度合いを算出する
請求項３に記載の信号判別装置。
【請求項５】
前記入力映像信号間の動き量として、時間軸に沿った前後１フィールド間の動き量と、時間軸に沿った前後２フィールド間の動き量と、のうちの少なくとも一方を用い、
前記動き量パターンとして、時間軸に沿った前後１フィールド間の動き量パターンと、時間軸に沿った前後２フィールド間の動き量パターンと、のうちの少なくとも一方を用いる
請求項１に記載の信号判別装置。
【請求項６】
前記前後１フィールド間の動き量を格納する第１の格納部と、
前記前後２フィールド間の動き量を格納する第２の格納部と、
前記前後１フィールド間の動き量パターンおよび前記前後２フィールド間の動き量パターンをそれぞれ、信号源に応じたパターン構造で発生させるパターン発生部とを備えた
請求項５に記載の信号判別装置。
【請求項７】
前記前後１フィールド間の動き量パターンおよび前記前後２フィールド間の動き量パターンがそれぞれ、フィールドごとの動き量のしきい値と、フィールドごとの等号または不等号のデータと、を含んで構成されている
請求項６に記載の信号判別装置。
【請求項８】
前記パターン発生部が、
前記動き量のしきい値を格納するしきい値格納部と、
前記等号または不等号のデータを格納する等号不等号格納部と、
信号源の属性情報を格納する属性格納部と有する
請求項２または請求項７に記載の信号判別装置。
【請求項９】
前記しきい値格納部は、複数の信号源に対応した複数の動き量のしきい値を格納する
請求項８に記載の信号判別装置。
【請求項１０】
前記等号不等号格納部は、複数の信号源に対応した複数の等号または不等号のデータを格納する
請求項８または請求項９に記載の信号判別装置。
【請求項１１】
前記比較部は、
前記動き量のしきい値と、前記等号または不等号のデータとを用いてパターンマッチングを行うことにより、前記一致度または不一致度を求めるパターン比較部と、
前記パターン比較部により求められた一致度または不一致度を保持する比較結果保持部とを有する
請求項２、請求項７ないし請求項１０のいずれか１項に記載の信号判別装置。
【請求項１２】
前記比較部の動作を制御する制御部を備え、
前記制御部は、
前記入力映像信号において、所定の動きしきい値以下のフィールド数をカウントすることにより、入力映像信号における低動き量の度合いを判定する低動き量判定部と、
前記入力映像信号において、所定の輝度しきい値以下のフィールド数をカウントすることにより、入力映像信号における低輝度の度合いを判定する低輝度判定部と、
前記入力映像信号間の動き量のデータが定期的に得られているか否かを判定する周期判定部と、
前記低動き量判定部、前記低輝度判定部および前記周期判定部による判定結果に基づいて、前記比較部の動作の実行または停止を制御する動作処理部とを有する
請求項２に記載の信号判別装置。
【請求項１３】
時間軸に沿って互いに異なる２つのフィールドにおける入力映像信号間の動き量と、信号源に応じて規定された所定の動き量パターンとを比較することにより、前記入力映像信号間の動き量と前記動き量パターンとの一致度または不一致度を求める比較部と、
前記比較部において求められた一致度または不一致度に基づいて、判別の確かさ度合いまたは不確か度合いを考慮しつつ、前記入力映像信号の信号源を判別する判別部と、
前記入力映像信号に対して所定の画像処理を行う画像処理部と、
前記比較部の動作を制御する制御部と
を備え、
前記制御部は、
前記入力映像信号において、所定の動きしきい値以下のフィールド数をカウントすることにより、入力映像信号における低動き量の度合いを判定する低動き量判定部と、
前記入力映像信号において、所定の輝度しきい値以下のフィールド数をカウントすることにより、入力映像信号における低輝度の度合いを判定する低輝度判定部と、
前記入力映像信号間の動き量のデータが定期的に得られているか否かを判定する周期判定部と、
前記低動き量判定部、前記低輝度判定部および前記周期判定部による判定結果に基づいて、前記比較部の動作の実行または停止を制御する動作処理部と
を有し、
前記画像処理部は、前記判別部による入力映像信号の信号源の判別結果に応じて、前記入力映像信号に対する画像処理の度合いを変化させる
信号処理装置。
【請求項１４】
入力映像信号において、時間軸に沿った前後１フィールド間の動き量を格納する第１の格納部と、
入力映像信号において、時間軸に沿った前後２フィールド間の動き量を格納する第２の格納部と、
時間軸に沿った前後１フィールド間の動き量パターンおよび時間軸に沿った前後２フィールド間の動き量パターンをそれぞれ、信号源に応じたパターン構造で発生させるパターン発生部と、
前記前後１フィールド間の動き量と前記前後２フィールド間の動き量とのうちの少なくとも一方からなる入力映像信号間の動き量と、前記前後１フィールド間の動き量パターンと前記前後２フィールド間の動き量パターンとのうちの少なくとも一方からなる所定の動き量パターンとを比較することにより、前記入力映像信号間の動き量と前記動き量パターンとの一致度または不一致度を求める比較部と、
前記比較部において求められた一致度または不一致度に基づいて、判別の確かさ度合いまたは不確か度合いを考慮しつつ、前記入力映像信号の信号源を判別する判別部と、
前記入力映像信号に対して所定の画像処理を行う画像処理部と
を備え、
前記前後１フィールド間の動き量パターンおよび前記前後２フィールド間の動き量パターンがそれぞれ、フィールドごとの動き量のしきい値と、フィールドごとの等号または不等号のデータと、を含んで構成され、
前記画像処理部は、前記判別部による入力映像信号の信号源の判別結果に応じて、前記入力映像信号に対する画像処理の度合いを変化させる
信号処理装置。
【請求項１５】
時間軸に沿って互いに異なる２つのフィールドにおける入力映像信号間の動き量と、信号源に応じて規定された所定の動き量パターンとを比較することにより、前記入力映像信号間の動き量と前記動き量パターンとの一致度または不一致度を求める比較部と、
前記比較部において求められた一致度または不一致度に基づいて、前記入力映像信号の信号源を、確かさ度合いまたは不確か度合いを考慮しつつ判別する判別部と、
前記入力映像信号に対して所定の画像処理を行う画像処理部と、
前記画像処理部による画像処理後の映像信号に基づいて画像表示を行う表示部と、
前記比較部の動作を制御する制御部と
を備え、
前記制御部は、
前記入力映像信号において、所定の動きしきい値以下のフィールド数をカウントすることにより、入力映像信号における低動き量の度合いを判定する低動き量判定部と、
前記入力映像信号において、所定の輝度しきい値以下のフィールド数をカウントすることにより、入力映像信号における低輝度の度合いを判定する低輝度判定部と、
前記入力映像信号間の動き量のデータが定期的に得られているか否かを判定する周期判定部と、
前記低動き量判定部、前記低輝度判定部および前記周期判定部による判定結果に基づいて、前記比較部の動作の実行または停止を制御する動作処理部と
を有し、
前記画像処理部は、前記判別部による入力映像信号の信号源の判別結果に応じて、前記入力映像信号に対する画像処理の度合いを変化させる
画像表示装置。
【請求項１６】
入力映像信号において、時間軸に沿った前後１フィールド間の動き量を格納する第１の格納部と、
入力映像信号において、時間軸に沿った前後２フィールド間の動き量を格納する第２の格納部と、
時間軸に沿った前後１フィールド間の動き量パターンおよび時間軸に沿った前後２フィールド間の動き量パターンをそれぞれ、信号源に応じたパターン構造で発生させるパターン発生部と、
前記前後１フィールド間の動き量と前記前後２フィールド間の動き量とのうちの少なくとも一方からなる入力映像信号間の動き量と、前記前後１フィールド間の動き量パターンと前記前後２フィールド間の動き量パターンとのうちの少なくとも一方からなる所定の動き量パターンとを比較することにより、前記入力映像信号間の動き量と前記動き量パターンとの一致度または不一致度を求める比較部と、
前記比較部において求められた一致度または不一致度に基づいて、判別の確かさ度合いまたは不確か度合いを考慮しつつ、前記入力映像信号の信号源を判別する判別部と、
前記入力映像信号に対して所定の画像処理を行う画像処理部と、
前記画像処理部による画像処理後の映像信号に基づいて画像表示を行う表示部と
を備え、
前記前後１フィールド間の動き量パターンおよび前記前後２フィールド間の動き量パターンがそれぞれ、フィールドごとの動き量のしきい値と、フィールドごとの等号または不等号のデータと、を含んで構成され、
前記画像処理部は、前記判別部による入力映像信号の信号源の判別結果に応じて、前記入力映像信号に対する画像処理の度合いを変化させる
画像表示装置。
【請求項１７】
所定の記録媒体に記録された映像信号の再生を行う再生部と、
前記再生部により再生された映像信号に基づく時間軸に沿って互いに異なる２つのフィールドにおける入力映像信号間の動き量と、信号源に応じて規定された所定の動き量パターンとを比較することにより、前記入力映像信号間の動き量と前記動き量パターンとの一致度または不一致度を求める比較部と、
前記比較部において求められた一致度または不一致度に基づいて、判別の確かさ度合いまたは不確か度合いを考慮しつつ、前記入力映像信号の信号源を判別する判別部と、
前記入力映像信号に対して所定の画像処理を行う画像処理部と、
前記比較部の動作を制御する制御部と
を備え、
前記制御部は、
前記入力映像信号において、所定の動きしきい値以下のフィールド数をカウントすることにより、入力映像信号における低動き量の度合いを判定する低動き量判定部と、
前記入力映像信号において、所定の輝度しきい値以下のフィールド数をカウントすることにより、入力映像信号における低輝度の度合いを判定する低輝度判定部と、
前記入力映像信号間の動き量のデータが定期的に得られているか否かを判定する周期判定部と、
前記低動き量判定部、前記低輝度判定部および前記周期判定部による判定結果に基づいて、前記比較部の動作の実行または停止を制御する動作処理部と
を有し、
前記画像処理部は、前記判別部による入力映像信号の信号源の判別結果に応じて、前記入力映像信号に対する画像処理の度合いを変化させる
再生装置。
【請求項１８】
所定の記録媒体に記録された映像信号の再生を行う再生部と、
前記再生部により再生された映像信号に基づく入力映像信号において、時間軸に沿った前後１フィールド間の動き量を格納する第１の格納部と、
前記再生部により再生された映像信号に基づく入力映像信号において、時間軸に沿った前後２フィールド間の動き量を格納する第２の格納部と、
時間軸に沿った前後１フィールド間の動き量パターンおよび時間軸に沿った前後２フィールド間の動き量パターンをそれぞれ、信号源に応じたパターン構造で発生させるパターン発生部と、
前記前後１フィールド間の動き量と前記前後２フィールド間の動き量とのうちの少なくとも一方からなる入力映像信号間の動き量と、前記前後１フィールド間の動き量パターンと前記前後２フィールド間の動き量パターンとのうちの少なくとも一方からなる所定の動き量パターンとを比較することにより、前記入力映像信号間の動き量と前記動き量パターンとの一致度または不一致度を求める比較部と、
前記比較部において求められた一致度または不一致度に基づいて、判別の確かさ度合いまたは不確か度合いを考慮しつつ、前記入力映像信号の信号源を判別する判別部と、
前記入力映像信号に対して所定の画像処理を行う画像処理部と
を備え、
前記前後１フィールド間の動き量パターンおよび前記前後２フィールド間の動き量パターンがそれぞれ、フィールドごとの動き量のしきい値と、フィールドごとの等号または不等号のデータと、を含んで構成され、
前記画像処理部は、前記判別部による入力映像信号の信号源の判別結果に応じて、前記入力映像信号に対する画像処理の度合いを変化させる
再生装置。
【発明の詳細な説明】
【技術分野】
【０００１】
本発明は、入力された映像信号の信号源を判別する信号判別装置、そのような信号判別装置を備えた信号処理装置、ならびにそのような信号処理装置を備えた画像表示装置および再生装置に関する。
【背景技術】
【０００２】
従来より、映像信号を用いた画像表示装置などでは、入力された映像信号（入力映像信号）に対し、シャープネス処理やＩ／Ｐ変換処理などの様々な画像処理が施され、画質改善が図られるようになっている。
【０００３】
ただし、入力映像信号には、例えば２−３フィルムソースや２−２フィルムソースなどの様々な信号源が存在する。そこで、従来より、このような入力映像信号の信号源を判別するための様々な手法が提案され、判別された信号源に応じた信号処理（画像処理）がなされるようになっている（例えば、特許文献１，２）。
【０００４】
【特許文献１】特開２００２−３３０３１１号公報
【特許文献２】特開２００５−４５８０７号公報
【発明の開示】
【発明が解決しようとする課題】
【０００５】
ところが、上記特許文献１，２等の従来手法では、入力映像信号の信号源を、例えば「２−３フィルムソースである」や「２−２フィルムソースである」など、どの信号源であるかのみを判別していた。したがって、信号源の判別の際の自由度が低くなって、必ずしも信号源に応じた適切な信号処理がなされない場合があり、改善の余地があった。
【０００６】
なお、このような問題は、入力映像信号の信号源の判別の際には限られず、例えば入力映像信号の状態（静止画または動画であるか、あるいは明るさなどの状態）の判別の際にも、同様に生ずるものである。
【０００７】
本発明はかかる問題点に鑑みてなされたもので、その目的は、入力映像信号の信号源に応じたより適切な信号処理を可能とする信号判別を実現する信号判別装置、そのような信号判別装置を備えた信号処理装置、ならびにそのような信号処理装置を備えた画像表示装置および再生装置を提供することにある。
【課題を解決するための手段】
【０００８】
本発明の第１の信号判別装置は、時間軸に沿って互いに異なる２つのフィールドにおける入力映像信号間の動き量と、信号源に応じて規定された所定の動き量パターンとを比較することにより、入力映像信号間の動き量と動き量パターンとの一致度または不一致度を求める比較部と、この比較部において求められた一致度または不一致度に基づいて、判別の確かさ度合いまたは不確か度合いを考慮しつつ、入力映像信号の信号源を判別する判別部と、比較部の動作を制御する制御部とを備えたものである。この制御部は、入力映像信号において、所定の動きしきい値以下のフィールド数をカウントすることにより、入力映像信号における低動き量の度合いを判定する低動き量判定部と、入力映像信号において、所定の輝度しきい値以下のフィールド数をカウントすることにより、入力映像信号における低輝度の度合いを判定する低輝度判定部と、入力映像信号間の動き量のデータが定期的に得られているか否かを判定する周期判定部と、低動き量判定部、低輝度判定部および周期判定部による判定結果に基づいて、比較部の動作の実行または停止を制御する動作処理部とを有している。
本発明の第２の信号判別装置は、入力映像信号において、時間軸に沿った前後１フィールド間の動き量を格納する第１の格納部と、入力映像信号において、時間軸に沿った前後２フィールド間の動き量を格納する第２の格納部と、時間軸に沿った前後１フィールド間の動き量パターンおよび時間軸に沿った前後２フィールド間の動き量パターンをそれぞれ、信号源に応じたパターン構造で発生させるパターン発生部と、前後１フィールド間の動き量と前後２フィールド間の動き量とのうちの少なくとも一方からなる入力映像信号間の動き量と、前後１フィールド間の動き量パターンと前後２フィールド間の動き量パターンとのうちの少なくとも一方からなる所定の動き量パターンとを比較することにより、入力映像信号間の動き量と動き量パターンとの一致度または不一致度を求める比較部と、この比較部において求められた一致度または不一致度に基づいて、判別の確かさ度合いまたは不確か度合いを考慮しつつ、入力映像信号の信号源を判別する判別部とを備えたものである。また、前後１フィールド間の動き量パターンおよび前後２フィールド間の動き量パターンはそれぞれ、フィールドごとの動き量のしきい値と、フィールドごとの等号または不等号のデータと、を含んで構成されている。
【０００９】
本発明の第１の信号処理装置は、上記本発明の第１の信号判別装置と、入力映像信号に対して所定の画像処理を行う画像処理部とを備えると共に、この画像処理部が、判別部による入力映像信号の信号源の判別結果に応じて、入力映像信号に対する画像処理の度合いを変化させるようにしたものである。
本発明の第２の信号処理装置は、上記本発明の第２の信号判別装置と、入力映像信号に対して所定の画像処理を行う画像処理部とを備えると共に、この画像処理部が、判別部による入力映像信号の信号源の判別結果に応じて、入力映像信号に対する画像処理の度合いを変化させるようにしたものである。
【００１０】
本発明の第１の画像表示装置は、上記本発明の第１の信号処理装置と、画像処理部による画像処理後の映像信号に基づいて画像表示を行う表示部とを備えたものである。
本発明の第２の画像表示装置は、上記本発明の第２の信号処理装置と、画像処理部による画像処理後の映像信号に基づいて画像表示を行う表示部とを備えたものである。
【００１１】
本発明の第１の再生装置は、所定の記録媒体に記録された映像信号の再生を行う再生部と、この再生部により再生された映像信号に基づく入力映像信号が入力される上記本発明の第１の信号処理装置とを備えたものである。
本発明の第２の再生装置は、所定の記録媒体に記録された映像信号の再生を行う再生部と、この再生部により再生された映像信号に基づく入力映像信号が入力される上記本発明の第２の信号処理装置とを備えたものである。
【００１２】
本発明の第１および第２の信号判別装置、第１および第２の信号処理装置、第１および第２の画像表示装置、ならびに第１および第２の再生装置では、時間軸に沿って互いに異なる２つのフィールドにおける入力映像信号間の動き量と、信号源に応じて規定された所定の動き量パターンとが比較され、これら入力映像信号間の動き量と動き量パターンとの一致度または不一致度が求められる。そしてこれら一致度または不一致度に基づいて、判別の確かさ度合いまたは不確か度合いが考慮されつつ、入力映像信号の信号源が判別される。これにより、入力映像信号の信号源の判別の際の自由度が、従来よりも高まることになる。
【００１３】
参考例に係る信号判別装置は、入力映像信号における時間的または空間的に異なる信号から得られるパラメータと、このパラメータに対応して規定された所定のパターンとを比較することにより、入力映像信号から得られるパラメータと上記パターンとの一致度または不一致度を求める比較部と、この比較部において求められた一致度または不一致度に基づいて、判別の確かさ度合いまたは不確か度合いを考慮しつつ、入力映像信号の状態を判別する判別部とを備えたものである。
【００１４】
参考例に係る信号判別装置では、入力映像信号における時間的または空間的に異なる信号から得られるパラメータと、このパラメータに対応して規定された所定のパターンとが比較され、これら入力映像信号から得られるパラメータと上記パターンとの一致度または不一致度が求められる。そして、これら一致度または不一致度に基づいて、判別の確かさ度合いまたは不確か度合いが考慮されつつ、入力映像信号の状態が判別される。これにより、入力映像信号の状態の判別の際の自由度が、従来よりも高まることになる。
【発明の効果】
【００１５】
本発明の第１および第２の信号判別装置、第１および第２の信号処理装置、第１および第２の画像表示装置、ならびに第１および第２の再生装置によれば、入力映像信号間の動き量と動き量パターンとの一致度または不一致度を求めると共に、これら一致度または不一致度に基づいて、判別の確かさ度合いまたは不確か度合いを考慮しつつ入力映像信号の信号源を判別するようにしたので、入力映像信号の信号源の判別の際の自由度を、従来よりも高めることができる。よって、入力映像信号の信号源に応じたより適切な信号処理が可能な信号判別を実現することができる。
【００１６】
参考例に係る信号判別装置によれば、入力映像信号における時間的または空間的に異なる信号から得られるパラメータと、このパラメータに対応して規定された所定のパターンとの一致度または不一致度に基づいて、判別の確かさ度合いまたは不確か度合いを考慮しつつ入力映像信号の状態を判別するようにしたので、入力映像信号の状態の判別の際の自由度を、従来よりも高めることができる。よって、入力映像信号の状態に応じたより適切な信号処理が可能な信号判別を実現することができる。
【発明を実施するための最良の形態】
【００１７】
以下、本発明の実施の形態について、図面を参照して詳細に説明する。
【００１８】
図１は、本発明の一実施の形態に係る画像表示装置（ＴＶ（TeleVision）装置１）の全体構成を表すものである。このＴＶ装置１は、アンテナ１１と、チューナ１２と、デコーダ１３と、画像処理部１４と、本発明の一実施の形態に係る信号判別装置（信号判別部１５）と、表示部１６とを備えている。なお、画像処理部１４および信号判別部１５が、本発明の一実施の形態に係る信号処理装置に対応している。
【００１９】
アンテナ１１は、テレビ信号を受信するものである。また、チューナ１２は、受信されたテレビ信号を復調し、エンコードされたデジタル映像信号として出力するものである。
【００２０】
デコーダ１３は、入力した上記デジタル映像信号（例えば、チューナから入力したデジタル映像信号Ｄ１や、図示しない記録媒体等から入力したデジタル映像信号Ｄ２）に対して所定のデコード処理（例えば、ＭＰＥＧ（Moving Picture Experts Group）デコード処理などのデコード処理）を行うことにより、画像信号Ｄin（映像信号、輝度信号）を生成し、出力するものである。
【００２１】
画像処理部１４は、デコーダ１３から供給される映像信号Ｄinに対して所定の画像処理を施すことにより、画像処理後の映像信号Ｄoutを生成するものである。具体的には、この画像処理部１４は、シャープネス処理部１４１と、コントラスト変換部１４２と、フィルタ処理部１４３と、Ｉ／Ｐ変換部１４４と、オーバードライブ処理部１４５とを有している。なお、画像処理部１４に含まれる処理部はこれらには限られず、代わりに他の処理部を含んでいたり、他の処理部に置き換えてもよい。
【００２２】
シャープネス処理部１４１は、入力された映像信号に対し、輪郭（エッジ）等の強調処理（シャープネス処理）を施すものである。
【００２３】
コントラスト変換部１４２は、図示しない所定のγカーブ特性（入力された映像信号の輝度レベルの階調と、コントラスト変換後の映像信号の輝度レベルの階調とを対応づけたもの）を用いることにより、入力された映像信号のコントラストが変化するように、輝度レベルを調整する（コントラスト変換を行う）ものである。
【００２４】
フィルタ処理部１４３は、入力された映像信号において、例えば複数の画素に対する複数のタップ係数を用いることにより、それら複数の画素の輝度レベルの平準化処理（フィルタ処理）を施すものである。
【００２５】
Ｉ／Ｐ変換部１４４は、インターレース（Interlace）信号からなる映像信号を、ノンインターレース信号（プログレッシブ（Progressive）信号）からなる映像信号に変換する（Ｉ／Ｐ変換を行う）ものである。
【００２６】
オーバードライブ処理部１４５は、現在のフィールドにおける映像信号と、フィールドメモリ等に蓄積されている１つ前のフィールドにおける映像信号とに基づいて、現在のフィールドにおける映像信号に対してオーバードライブ処理を行うものである。このオーバードライブ処理とは、後述する表示部１６における各画素の表示素子（例えば、液晶素子）に対して過剰に駆動電圧が印加されるように、現在のフィールドにおける映像信号を補正する処理である。なお、このようなオーバードライブ処理の際には、所定のルックアップテーブル（例えば、１つ前のフィールドにおける映像信号の輝度レベルの階調と、現在のフィールドにおける映像信号の輝度レベルの階調と、オーバードライブ量とを対応づけたもの）が用いられるようになっている。
【００２７】
ここで、この画像処理部１４はまた、後述する信号判別部１５から供給される映像信号Ｄinの信号源（フィルムソース）の判別結果Ｊoutに応じて、映像信号Ｄinに対する画像処理の度合い（例えば、シャープネス処理部１４１によるシャープネス処理の度合いや、コントラスト変換部１４２によるγカーブの変化（コントラスト変換）の度合い、フィルタ処理部１４３におけるタップ係数の値（フィルタ処理の度合い）、Ｉ／Ｐ変換部１４４によるＩ／Ｐ変換の際の変換強度の度合い、オーバードライブ処理部１４５によるオーバードライブ処理の際のオーバードライブ量など）を変化させるようになっている。これにより、詳細は後述するが、映像信号Ｄinの信号源に応じて適切な画像処理を施すことが可能となっている。
【００２８】
信号判別部１５は、デコーダ１３から供給される映像信号Ｄinの信号源を判別し、その信号源の判別結果Ｊoutを画像処理部１４へ出力するものである。なお、この信号判別部１５の詳細については、後述する。
【００２９】
表示部１６は、画像処理部１４から出力される画像データに基づいて画像表示を行うものである。この表示部１６は、例えば、ＯＬＥＤ（Organic Light-emitting Diode）やＬＣＤ（Liquid Crystal Display）、ＰＤＰ（Plasma Display Panel）等により構成される。
【００３０】
次に、図１に加えて図２〜図６を参照して、信号判別部１５の構成について詳細に説明する。
【００３１】
信号判別部１５は、図１に示したように、データ格納部１５１Ａ，１５１Ｂと、パターン発生部１５２と、パターン分析部１５３と、メイン判別部１５４と、分析制御部１５５とを有している。
【００３２】
データ格納部１５１Ａは、例えば図２（Ａ）に示したように、映像信号Ｄinにおける前後１フィールド間の動き量（例えば、Sum Absolute Differenceや、Mean Absolute Difference）を、所定フィールド分格納するものである。具体的には、ここでは、例えば１０フィールド分の前後１フィールド間の動き量Ａ（i）〜Ａ（i＋9）を格納するようになっている。同様に、データ格納部１５１Ｂは、例えば図２（Ｂ）に示したように、映像信号Ｄinにおける前後２フィールド間の動き量（例えば、Sum Absolute Differenceや、Mean Absolute Difference）を、所定フィールド分格納するものである。具体的には、ここでは、例えば１０フィールド分の前後２フィールド間の動き量Ｂ（i）〜Ｂ（i＋9）を格納するようになっている。
【００３３】
パターン発生部１５２は、前後１フィールド間の動き量のパターンおよび前後２フィールド間の動き量のパターン（総称して、動き量パターンｐ（i＋n）とする。）をそれぞれ、信号源に応じたパターン構造で発生させ、パターン分析部１５３へ出力するものである。具体的には、この動き量パターンｐ（i＋n）としては、複数の信号源に対応して予め複数のものが得られるようになっていると共に、典型的（レギュラー）な信号源（フィルムソース）やイレギュラーな信号源（フィルムソース）にも対応したものが得られるようになっている。
【００３４】
より具体的には、例えば通常の２−３フィルムソースについては、以下のような動き量パターンｐ（i＋n）が得られるようになっている。すなわち、通常の２−３フィルムソースは、プルダウン処理により、以下の（１）式に示したようなフィールド列で表される。なお、（１）式において、「Ａ」，「Ｂ」，「Ｃ」，…は、同一のコマの映像を表し、添え字の「ｏ」は奇数フィールドであることを表し、添え字の「ｅ」は偶数フィールドであることを表しており、以下同様である。この場合、通常の２−３フィルムソースに対する前後２フィールド間の動き量のパターンは、例えば以下の（２）式で表される。なお、（２）式において、「＊」は任意の値であることを表しており、以下同様である。また、同様に通常の２−３フィルムソースに対する前後１フィールド間の動き量のパターンは、例えば以下の（３）式で表される。なお、（３）式において、「Ｂ」は、直前のフィールドの値よりも値が大きいことを表し、「Ｓ」は、直前のフィールドの値よりも値が小さいことを表しており、以下同様である。また、（３）式中には示されていないが、「Ｅ」は直前のフィールドの値と等しい値であることを表し、「ＭＢ」は直前のフィールドの値以上の値であることを表し、「ＭＳ」は、直前のフィールドの値以下の値であることを表すものとする。
Ａｏ，Ａｅ，Ａｏ，Ｂｅ，Ｂｏ，Ｃｅ，Ｃｏ，Ｃｅ，Ｄｏ，Ｄｅ，…  …（１）
＊，＊，０，＊，＊，＊，＊，０，＊，＊，…                      …（２）
Ｂ，Ｓ，Ｓ，Ｂ，Ｓ，Ｂ，Ｓ，Ｓ，Ｂ，Ｓ，…                      …（３）
【００３５】
また、通常の３−２−３−２−２フィルムソースについては、以下のような動き量パターンｐ（i＋n）が得られるようになっている。すなわち、通常の３−２−３−２−２フィルムソースは、以下の（４）式に示したようなフィールド列で表される。この場合、通常の３−２−３−２−２フィルムソースに対する前後２フィールド間の動き量のパターンは、例えば以下の（５）式で表される。
Ａｏ，Ａｅ，Ａｏ，Ｂｅ，Ｂｏ，Ｃｅ，Ｃｏ，Ｃｅ，Ｄｏ，Ｄｅ，Ｅｏ，Ｅｅ，…  …(4)
＊，＊，０，＊，＊，＊，＊，０，＊，＊，＊，＊，…                          …(5)
【００３６】
また、通常の２−３−３−２フィルムソースについては、以下のような動き量パターンｐ（i＋n）が得られるようになっている。すなわち、通常の２−３−３−２フィルムソースは、以下の（６）式に示したようなフィールド列で表される。この場合、通常の２−３−３−２フィルムソースに対する前後２フィールド間の動き量のパターンは、例えば以下の（７）式で表される。
Ａｏ，Ａｅ，Ｂｏ，Ｂｅ，Ｂｏ，Ｃｅ，Ｃｏ，Ｃｅ，Ｄｏ，Ｄｅ，…  …（６）
＊，＊，＊，＊，０，＊，＊，０，＊，＊，…                      …（７）
【００３７】
また、通常の２−２フィルムソースについては、以下のような動き量パターンｐ（i＋n）が得られるようになっている。すなわち、通常の２−２フィルムソースは、以下の（８）式に示したようなフィールド列で表される。この場合、通常の２−２フィルムソースに対する前後１フィールド間の動き量のパターンは、例えば以下の（９）式で表される。
Ａｏ，Ａｅ，Ｂｏ，Ｂｅ，Ｃｏ，Ｃｅ，Ｄｏ，Ｄｅ，…  …（８）
Ｂ，Ｓ，Ｂ，Ｓ，Ｂ，Ｓ，Ｂ，Ｓ，…                  …（９）
【００３８】
このパターン発生部１５２はまた、例えば図３に示したように、しきい値格納部１５２Ａと、等号・不等号格納部１５２Ｂと、詳細部類格納部１５２Ｃと、しきい値分析格納部１５２Ｄと、内部制御部１５２Ｅとを有している。
【００３９】
しきい値格納部１５２Ａは、前後１フィールド間の動き量Ａ（i）〜Ａ（i＋9）または前後２フィールド間の動き量Ｂ（i）〜Ｂ（i＋9）と、動き量パターンｐ（i＋n）との間の動き量の値の大小を比較するためのしきい値をフィールドごとに格納するものである。また、このしきい値格納部１５２Ａには、複数の信号源に対応した複数のしきい値が格納されるようになっている。
【００４０】
等号・不等号格納部１５２Ｂは、前後１フィールド間の動き量Ａ（i）〜Ａ（i＋9）または前後２フィールド間の動き量Ｂ（i）〜Ｂ（i＋9）と、動き量パターンｐ（i＋n）との間の動き量の値の大小を表す符号である、等号または不等号のデータをフィールドごとに格納するものである。また、この等号・不等号格納部１５２Ｂには、複数の信号源に対応した複数の等号または不等号のデータが格納されるようになっている。
【００４１】
詳細部類格納部１５２Ｃは、信号源の詳細部類の情報（ここでは、信号源の属性情報）を格納するものである。このような信号源の属性情報としては、例えば図３中に示したように、通常の２−２フィルムソースを表す「２２ regular」や、イレギュラーな２−２フィルムソースを表す「２２ illegal」や、通常の２−３フィルムソースを表す「２３ regular」や、イレギュラーな２−３フィルムソースを表す「２３ illegal」などが挙げられる。
【００４２】
しきい値分析格納部１５２Ｄは、しきい値格納部１５２Ａから供給されるしきい値、等号・不等号格納部１５２Ｂから供給される等号または不等号のデータ、および詳細部類格納部１５２Ｃから供給される信号源の属性情報に基づいて、例えば図３に示したような動き量パターンｐ（i＋n）を構築するものである。なお、構築された動き量パターンｐ（i＋n）は、パターン分析部１５３へ出力されるようになっている。
【００４３】
内部制御部１５２Ｅは、パターン分析部１５２からの要求に基づいて、その要求に応じたデータを、しきい値格納部１５２Ａ、等号・不等号格納部１５２Ｂおよび詳細部類格納部１５２Ｃから取り出し、しきい値分析格納部１５２Ｄへ供給するものである。
【００４４】
パターン分析部１５３は、データ格納部１５１Ａから供給される前後１フィールド間の動き量Ａ（i）〜Ａ（i＋9）およびデータ格納部１５１Ｂから供給される前後２フィールド間の動き量Ｂ（i）〜Ｂ（i＋9）と、それらに対応してパターン発生部１５２から供給される動き量パターンｐ（i＋n）とをそれぞれ比較し、動き量Ａ（i）〜Ａ（i＋9）および動き量Ｂ（i）〜Ｂ（i＋9）と、動き量パターンｐ（i＋n）との一致度または不一致度を求めるものである。なお、求められた一致度または不一致度は、分析結果データＡoutとして、メイン判別部１５４へ出力されるようになっている。
【００４５】
このパターン分析部１５３は、例えば図４に示したように、パターン比較部１５３Ａと、加算部１５３Ｂと、分析結果格納部１５３Ｃとを有している。
【００４６】
パターン比較部１５３Ａは、動き量パターンｐ（i＋n）に含まれる動き量のしきい値および等号または不等号のデータを用いて、動き量Ａ（i）〜Ａ（i＋9）および動き量Ｂ（i）〜Ｂ（i＋9）と動き量パターンｐ（i＋n）とパターンマッチングを行い、それらが一致するか不一致であるかをフィールドごとに求めるものである。なお、このようなパターンマッチングは、信号源に応じて複数の動き量パターンｐ（i＋n）が存在する場合には、各動き量パターンｐ（i＋n）についてなされるようになっている。
【００４７】
加算部１５３Ｂは、パターン比較部１５３Ａにおいて求められたフィールドごとの一致または不一致をそれぞれ加算することにより、所定フィールド分（ここでは、１０フィールド分）の一致度（一致したフィールド数）または不一致度（不一致であるフィールド数）を求めるものである。
【００４８】
分析結果保持部１５３Ｃは、パターン比較部１５３Ａおよび加算部１５３Ｂにより求められた一致度または不一致度を保持すると共に、これらの一致度または不一致度を、分析結果データＡoutとして出力するものである。なお、これらの一致度または不一致度についても、信号源に応じて複数の動き量パターンｐ（i＋n）が存在する場合には、図５中に示したように、動き量パターンｐ（i＋n）ごとに（すなわち、信号源ごとに）保持されるようになっている。
【００４９】
メイン判別部１５４は、パターン分析部１５３から供給される分析結果データＡout（具体的には、一致度または不一致度）に基づいて、判別における確かさ度合いまたは不確か度合いを考慮しつつ、映像信号Ｄinの信号源を判別するものである。また、信号源に応じて複数の動き量パターンｐ（i＋n）が存在する場合には、分析結果データＡoutに含まれる複数の一致度または不一致度に基づいて、複数の信号源に対する映像信号Ｄinの判別を同時に行うようになっている。具体的には、複数の一致度または不一致度に対してそれぞれ後述する重み付け処理を行い、この重み付け処理を行った後に上記確か度合いまたは不確か度合いを算出するようになっている。なお、このような映像信号Ｄinの信号源の判別結果は、判別結果データＪoutとして画像処理部１４へ出力されるようになっている。
【００５０】
このメイン判別部１５４は、例えば図５に示したように、重み付けデータ部１５４Ａと、乗算部１５４Ｂ１〜１５４Ｂ５等と、フィルム信頼度格納部１５４Ｃとを有している。
【００５１】
重み付けデータ部１５４は、上記した複数の一致度または不一致度に対する重み付け処理の際の重み付けデータ（具体的には、各信号源に対応した複数の重み付け係数Ｋａ〜Ｋｅ等）を格納するものである。これら重み付け係数Ｋａ〜Ｋｅ等は、ＨＤ（High Definition）信号（１０８０ｉ，７２０ｐなど）やＳＤ（Standard Definition）信号（４８０ｉ，４８０ｐなど）、レギュラーの信号やイレギュラーの信号、信号源（フィルムソース）の種類などに応じて、互いに異なる値となっている。なお、図示しない設定部を設け、重み付け係数Ｋａ〜Ｋｅ等をユーザが自由に設定できるようにしてもよい。
【００５２】
乗算部１５４Ｂ１〜１５４Ｂ５等はそれぞれ、分析結果保持部１５３Ｃから供給される分析結果データＡoutに含まれる信号源ごとの一致度または不一致度（例えば、図５中のpattern１〜５等）と、重み付けデータ部１５４Ａから供給される重み付け係数Ｋａ〜Ｋｅ等とを互いに乗算し、それらの乗算値をそれぞれフィルム信頼度格納部１５４Ｃへ出力するものである。
【００５３】
フィルム信頼度格納部１５４Ｃは、判別の確かさ度合いまたは不確か度合いを示す指標を信号源ごとに格納すると共に、それらの指標をそれぞれ、判別結果データＪoutとして画像処理部１４へ出力するものである。具体的には、乗算部１５４Ｂ１による乗算結果および乗算部１５４Ｂ５による乗算結果等が合算され、確からしい２−３フィルムソースである度合い（図５中に示した「２３＿ＡＣＣ」）として格納されている。また、乗算部１５４Ｂ２による乗算結果等が、不確からしい２−３フィルムソースである度合い（図５中に示した「２３＿ＩＮＡＣＣ」）として格納されている。また、乗算部１５４Ｂ３による乗算結果等が、確からしい２−２フィルムソースである度合い（図５中に示した「２２＿ＡＣＣ」）として格納されている。また、乗算部１５４Ｂ４による乗算結果等が、不確からしい２−２フィルムソースである度合い（図５中に示した「２２＿ＩＮＡＣＣ」）として格納されている。
【００５４】
分析制御部１５５は、パターン分析部１５３の動作を制御するものである。具体的には、ある条件を設定し、それが満たされた場合のみ、パターン分析部１５３の動作を停止させるようになっている。なお、この分析制御部１５５には、画像処理部１４から取得されるパラメータデータＤａ，Ｄｂ（例えば、フレームにおける輝度値の平均値など）が、データ格納部１５１Ａ，１５１Ｂおよびパターン分析部１５３を介して入力されるようになっている。
【００５５】
この分析制御部１５５は、例えば図６に示したように、低輝度カウンタ１５５Ａと、低動き量カウンタ１５５Ｂと、Ｓｙｎｃ差分カウンタ１５５Ｃと、しきい値処理部１５５Ｄとを有している。
【００５６】
低輝度カウンタ１５５Ａは、画像処理部１４から取得されるパラメータデータＤａ，Ｄｂを用いることにより、映像信号Ｄinにおいて、所定の輝度しきい値以下のフィールド数をカウントし、映像信号Ｄinにおける低輝度の度合い（非検出限界）を判定するものである。
【００５７】
低動き量カウンタ１５５Ｂは、パターン分析部１５３から取得した動き量Ａ（i），Ｂ（i）を用いることにより、映像信号Ｄinにおいて、所定の動きしきい値以下のフィールド数をカウントし、映像信号Ｄinにおける低動き量の度合いを判定するものである。
【００５８】
Ｓｙｎｃ差分カウンタ１５５Ｃは、映像信号Ｄinの間の動き量Ａ（i），Ｂ（i）のデータが、定期的に得られているか否かを判定するものである。
【００５９】
しきい値処理部１５５Ｄは、低輝度カウンタ１５５Ａ、低動き量カウンタ１５５ＢおよびＳｙｎｃ差分カウンタ１５５Ｃによる判定結果に基づいて、パターン分析部１５３の動作の実行または停止を制御するものである。具体的には、映像信号Ｄinにおける低輝度の度合いが大きかったり、映像信号Ｄinにおける低動き量の度合いが大きかったり、動き量Ａ（i），Ｂ（i）のデータが定期的に得られていない場合などに、パターン分析部１５３の動作を停止させるようになっている。
【００６０】
ここで、データ格納部１５１Ａが本発明における「第１の格納部」の一具体例に対応し、データ格納部１５１Ｂが本発明における「第２の格納部」の一具体例に対応する。また、パターン分析部１５３が本発明における「比較部」の一具体例に対応し、メイン判別部１５４が本発明における「判別部」の一具体例に対応する。また、詳細部類格納部１５２Ｃが、本発明における「属性格納部」の一具体例に対応する。また、分析結果保持部１５３Ｃが、本発明における「比較結果格納部」の一具体例に対応する。また、低動き量カウンタ１５５Ｂが本発明における「低動き量判定部」の一具体例に対応し、低輝度カウンタ１５５Ａが本発明における「低輝度判定部」の一具体例に対応し、Ｓｙｎｃ差分カウンタ１５５Ｃが本発明における「周期判定部」の一具体例に対応し、しきい値処理部１５５Ｄが本発明における「動作処理部」の一具体例に対応する。
【００６１】
次に、図１〜図６に加えて図７〜図９を参照して、本実施の形態のＴＶ装置１の動作について詳細に説明する。
【００６２】
このＴＶ装置１では、アンテナ１１において外部から送信されたテレビ信号が受信され、チューナ１２においてそのテレビ信号Ｄ１が復調されることにより、エンコードされたデジタル映像信号が生成される。このエンコードされたデジタル映像信号Ｄ１や、図示しない記録媒体等から得られるデジタル映像信号Ｄ２は、デコーダ１３においてデコード処理され、これにより画像データ（映像信号）Ｄinが生成される。この映像信号Ｄinは、信号判別部１５においてその信号源が判別され、判別結果Ｊoutが画像処理部１４へ出力される。一方、画像処理部１４では、映像信号Ｄinに対して所定の画像処理が施され、画像処理後の映像信号Ｄoutが生成されると共に、信号判別部１５から得られる判別結果Ｊoutに応じて、映像信号Ｄinに対する画像処理の度合いが調整される。そして表示部１６において、画像処理部１４による画像処理後の映像信号Ｄoutに基づく画像表示が行われる。
【００６３】
その際、本実施の形態の信号判別部１５では、例えば図７〜図９に示したようにして、映像信号Ｄinの判別処理（具体的には、映像信号Ｄinの信号源の判別処理）がなされる。なお、図７は、信号源の判別処理の際の前処理の一例を流れ図で表したものであり、図９は、信号源の判別処理の際のメイン処理の一例を流れ図で表したものである。
【００６４】
最初に、図７に示した前処理は、ソフトウェアによって判別を行う場合特に必要なものである。すなわち、マルチタスクのプログラムなどを考えた場合、優先度によっては、映像信号Ｄinの判別のタイミングが一定でないことが考えられる。したがって、そのような場合であっても映像信号Ｄinの判別を精度よく行うためには、信号判別部１５において以下説明する前処理を行うようにするのが好ましい。
【００６５】
この前処理では、具体的にはまず、データ格納部１５１Ａ，１５１Ｂ内のバッファに、映像信号Ｄinの間の動き量Ａ（i），Ｂ（i）が格納される（ステップＳ１１）。次に、格納された動き量Ａ（i），Ｂ（i）がそれぞれ、同じＶＳｙｎｃ（フィールド）間のものであるか否か（すなわち、正しい動き量のデータであるか否か）が判断される（ステップＳ１２）。同じＶＳｙｎｃ間のものであると判断された場合には（ステップＳ１２：Ｙ）、正しい動き量のデータを取得するため、再びステップＳ１１へと戻る。一方、同じＶＳｙｎｃ間のものではないと判断された場合には（ステップＳ１２：Ｎ）、次に、バッファがＦｕｌｌであるか否か（すなわち、判別に用いるフィールド分の動き量のデータが格納されたか否か）が判断される（ステップＳ１３）。バッファがＦｕｌｌではないと判断された場合には（ステップＳ１３：Ｎ）、次のフィールドの動き量のデータを取得するため、再びステップＳ１１へと戻る。一方、バッファがＦｕｌｌであると判断された場合には（ステップＳ１３：Ｙ）、次に、バッファ内のデータのＶの間隔が一緒であるか否か（すなわち、動き量Ａ（i），Ｂ（i）のデータが定期的に得られているか否か）が、分析制御部１５５において判断される（ステップＳ１４）。バッファ内のデータのＶの間隔が一緒ではないと判断された場合には（ステップＳ１４：Ｎ）、動き量のデータを再取得するため、再びステップＳ１１へと戻る。一方、バッファ内のデータのＶの間隔が一緒であると判断された場合には（ステップＳ１４：Ｙ）、次に、動きが少ない映像であるか否か（すなわち、映像信号Ｄinにおいて、低動き量の度合いが大きいか否か）、および平均輝度の小さい映像であるか否か（すなわち、映像信号Ｄinにおいて、低輝度の度合いが大きいか否か）が、分析制御部１５５において判断される（ステップＳ１５）。動きが少ない映像または平均輝度の小さい映像であると判断された場合には（ステップＳ１５：Ｙ）、図９に示したメイン処理がなされないため、再びステップＳ１１へと戻る。一方、動きが少ない映像および平均輝度の小さい映像のいずれにも該当しないと判断された場合には（ステップＳ１５：Ｎ）、前処理が終了となり、次に図９に示したメイン処理に進むことになる。
【００６６】
このようにして図７に示した前処理がなされることにより、データ格納部１５１Ａ，１５１Ｂ内のバッファに格納された動き量Ａ（i＋n），Ｂ（i＋n）が、例えば図８に示したような状態のときにのみ、次のメイン処理がなされるようになる。これにより、映像信号Ｄinの判別が、精度よく行われるようになる。なお、図８では、任意のタイミングにおけるＶｓｙｎｃを「ｖ」として表している。
【００６７】
次に、図９に示したメイン処理では、まず、動き量Ａ（i＋n），Ｂ（i＋n）および動き量パターンｐ（i＋n）において、フィールドの位置を示す「ｎ」が、初期値「０」に設定される（ステップＳ２１）。次に、パターン分析部１５３において、パターン発生部１５２において生成された動きパターンｐ（i＋n）が取得される（ステップＳ２２）。そしてパターン分析部１５３において、現在のフィールドにおける動き量Ａ（i＋n），Ｂ（i＋n）と動き量パターンｐ（i＋n）とが比較され、動き量の値が一致するか否かが判断される（ステップＳ２３）。次に、求められた一致度または不一致度に基づいて、判別の確かさ度合いまたは不確か度合いが、フィルム信頼度格納部１５４Ｃへ格納される（ステップＳ２４）。そして次に、動き量Ａ（i＋n），Ｂ（i＋n）と動き量パターンｐ（i＋n）との比較が、設定されたフィールド区間内の全てのフィールドにおいて終了したか否かが判断される（ステップＳ２５）。全てのフィールドにおいて終了していないと判断された場合には（ステップＳ２５：Ｎ）、「ｎ」の値に「１」が加算され（ｎ＝ｎ＋１）（ステップＳ２６）、再びステップＳ２２へと戻る。一方、全てのフィールドにおいて終了したと判断された場合には（ステップＳ２５：Ｙ）、メイン処理が終了となる。
【００６８】
このようにして図９に示したメイン処理では、時間軸に沿って互いに異なる２つのフィールドにおける映像信号Ｄinの間の動き量Ａ（i），Ｂ（i）と、信号源に応じて規定された動き量パターンｐ（i）との一致度または不一致度が求められる。そして求められた一致度または不一致度に基づいて、判別の確かさ度合いまたは不確か度合いが考慮されつつ、映像信号Ｄinの信号源が判別される。これにより、映像信号の信号源を、例えば「２−３フィルムソースである」や「２−２フィルムソースである」など、どの信号源であるかのみを判別している従来の手法と比べ、映像信号Ｄinの信号源の判別の際の自由度が高まることになる。
【００６９】
なお、判別処理に用いるフィールド区間は、任意で設定することが可能である。例えば、フィールド区間を長く設定した場合、判別結果データＪoutが安定した値となるが、急激な信号源の変化には対応できない。一方、フィールド区間を短く設定した場合、このような急激な信号源の変化にも対応できるが、判別結果データＪoutの値のゆらぎが大きくなる。
【００７０】
以上のように本実施の形態では、信号判別部１５内のパターン分析部１５３において、映像信号Ｄinの間の動き量Ａ（i），Ｂ（i）と動き量パターンｐ（i）との一致度または不一致度を求めると共に、メイン判別部１５４において、求められた一致度または不一致度に基づいて、判別の確かさ度合いまたは不確か度合いを考慮しつつ、映像信号Ｄinの信号源を判別するようにしたので、映像信号Ｄinの信号源の判別の際の自由度を、従来よりも高めることができる。よって、映像信号Ｄinの信号源に応じたより適切な信号処理が可能な信号判別を実現することができる。
【００７１】
具体的には、画像処理部１４において、信号判別部１５から供給される映像信号Ｄinの信号源の判別結果Ｊoutに応じて、映像信号Ｄinに対する画像処理の度合い（例えば、シャープネス処理部１４１によるシャープネス処理の度合いや、コントラスト変換部１４２によるγカーブの変化（コントラスト変換）の度合い、フィルタ処理部１４３におけるタップ係数の値（フィルタ処理の度合い）、Ｉ／Ｐ変換部１４４によるＩ／Ｐ変換の際の変換強度の度合い、オーバードライブ処理１４５によるオーバードライブ処理の際のオーバードライブ量など）を変化させるようにしたので、映像信号Ｄinの信号源に応じて従来よりも適切な画像処理を施すことが可能となる。
【００７２】
また、動き量パターンｐ（i）を、複数の信号源に対応して複数設けると共に、映像信号Ｄinの間の動き量Ａ（i），Ｂ（i）を複数の動き量パターンｐ（i）とそれぞれ比較して、複数の信号源に対応した複数の一致度または不一致度を求めるようにしたので、これら複数の一致度または不一致度に基づいて、複数の信号源に対する映像信号Ｄinの判別を同時に行うことが可能となる。
【００７３】
また、メイン判別部１５４において、求められた複数の一致度または不一致度に対してそれぞれ重み付け処理を行い、この重み付け処理を行った後に確か度合いまたは不確か度合いを算出するようにしたので、複数の信号源間の重要度の大小などに応じて、より適切な映像信号Ｄinの判別を行うことができる。よって、映像信号Ｄinに対し、さらに適切な画像処理を施すことが可能となる。
【００７４】
以上、実施の形態を挙げて本発明を説明したが、本発明はこの実施の形態に限定されるものではなく、種々の変形が可能である。
【００７５】
例えば、上記実施の形態では、信号判別部１５において、映像信号Ｄinの信号源（フィルムソースの種類）を判別する場合について説明したが、本発明の信号判別装置の判別対象はこれには限られず、例えば、映像信号Ｄinの状態の判別（例えば、後述する静止画や動画の判別、暗いシーンや明るいシーンの判別、全黒表示状態や全白表示状態の判別など）を行うようにしてもよい。また、上記実施の形態では、時間軸に沿って互いに異なる２つのフィールドにおける映像信号Ｄinの間の動き量Ａ（i）〜Ａ（i＋9），動き量Ｂ（i）〜Ｂ（i＋9）と、信号源に応じて規定された動き量パターンｐ（i＋n）との一致度または不一致度を求める場合について説明したが、本発明の信号判別装置では、例えば、映像信号Ｄinにおける時間的または空間的に異なる信号から得られるパラメータと、このパラメータに対応して規定された所定のパターンとを比較することにより、映像信号Ｄinから得られるパラメータと上記パターンとの一致度または不一致度を求めるようにしてもよい。すなわち、本発明の信号判別装置では、より一般的には、このようにして得られたパラメータと上記パターンとの一致度または不一致度を求めると共に、求められた一致度または不一致度に基づいて、判別の確かさ度合いまたは不確か度合いを考慮しつつ、映像信号の状態を判別するようにしてもよい。このように構成した場合、映像信号の状態の判別の際の自由度を従来よりも高めることができ、映像信号の状態に応じたより適切な信号処理が可能な信号判別を実現することができる。
【００７６】
ここで、上記のようにして映像信号Ｄinの状態を判別する方法の例をいくつか挙げて説明する。
（Ｉ）映像信号Ｄinにおける静止画や動画の状態の判別
データ格納部１５１Ａに格納するパラメータＡ（i）として、上記実施の形態と同様に前後１フィールド間の動き量を用いると共に、データ格納部１５１Ｂに格納するパラメータＢ（i）として、上記実施の形態と同様に前後２フィールド間の動き量を用いた場合、以下のような判別を行うことが可能となる。
（静止シーンの判別）
しきい値格納部１５２Ａには、フィールドごとに、静止シーンとみなせるような十分に小さな動き量のしきい値（例えば、１００程度）を格納する。また、等号・不等号格納部１５２Ｂには、フィールドごとに、不等号「＜（小なり）」を格納する。すなわち、各フィールドにおいて、「パラメータＡ（i）＜パターンｐ（i）」という条件式が成り立つか否かを判断するようにする。例えば１０フィールドの全てで上記条件式が成り立つ場合には、完全静止映像であると判断することができる。また、例えば１０フィールドの全てで成り立たない場合でも、あいまいさを持たせて（例えば、８割のフィールドで成り立つかどうか）、静止映像であると判断するようにしてもよい。
（動きの激しいシーンの判別）
しきい値格納部１５２Ａには、フィールドごとに、動いているシーンとみなせるような十分に大きな動き量のしきい値（例えば、１０００程度）を格納する。また、等号・不等号格納部１５２Ｂには、フィールドごとに、不等号「＞（大なり）」を格納する。すなわち、各フィールドにおいて、「パラメータＡ（i）＞パターンｐ（i）」という条件式が成り立つか否かを判断するようにする。例えば１０フィールドの全てで上記条件式が成り立つ場合には、完全に動きの激しい映像であると判断することができる。また、例えば１０フィールドの全てで成り立たない場合でも、あいまいさを持たせて（例えば、８割のフィールドで成り立つかどうか）、動きの激しい映像であると判断するようにしてもよい。
（フラッシング（１フレームごとに明るさが変化する目障りな映像）の検出）
しきい値格納部１５２Ａには、十分に小さな動き量のしきい値（例えば、１００程度）と、十分に大きな動き量のしきい値（例えば、１０００程度）とを、フィールドごとに交互に格納する。また、等号・不等号格納部１５２Ｂには、不等号「＜（小なり）」と不等号「＞（大なり）」とを、フィールドごとに交互に格納する。すなわち、「パラメータＡ（i）＜パターンｐ（i）」という条件式と、「パラメータＡ（i）＞パターンｐ（i）」という条件式とが、フィールドごとに交互に成り立つか否かを判断するようにする。これらの条件式の成り立ち具合により、フラッシングの検出を行うことができる。
【００７７】
（ＩＩ）映像信号Ｄinにおける暗いシーンや明るいシーンの状態の判別
データ格納部１５１Ａに格納するパラメータＡ（i）として、フレーム全体の輝度値の平均値（輝度平均値）を用いた場合、以下のような判別を行うことが可能となる。
（暗いシーンの判別）
しきい値格納部１５２Ａには、フレームごとに、暗いシーンとみなせるような十分に小さな輝度平均値のしきい値（例えば、輝度値の階調が８ビット（２５６階調）の場合、３０程度）を格納する。また、等号・不等号格納部１５２Ｂには、フレームドごとに、不等号「＜（小なり）」を格納する。すなわち、各フレームにおいて、「パラメータＡ（i）＜パターンｐ（i）」という条件式が成り立つか否かを判断するようにする。この条件式の成り立ち具合により、暗いシーンの検出を行うことができる。
（明るいシーンの判別）
しきい値格納部１５２Ａには、フレームごとに、明るいシーンとみなせるような十分に大きな輝度平均値のしきい値（例えば、輝度値の階調が８ビット（２５６階調）の場合、２００程度）を格納する。また、等号・不等号格納部１５２Ｂには、フレームドごとに、不等号「＞（大なり）」を格納する。すなわち、各フレームにおいて、「パラメータＡ（i）＞パターンｐ（i）」という条件式が成り立つか否かを判断するようにする。この条件式の成り立ち具合により、明るいシーンの検出を行うことができる。
【００７８】
（ＩＩＩ）その他
データ格納部１５１Ａに格納するパラメータＡ(i)(j)として、フレーム全体の輝度値のヒストグラム分布を用いた場合、さらに詳細な判別を行うことができる。具体的には、このような輝度値のヒストグラム分布からなるパラメータＡ(i)(j)と、それに対応するパターンｐ(i)(j)との比較により、平均輝度値を用いた場合では分からない、全黒表示状態や全白表示状態の検出を行うことが可能となる。
【００７９】
また、上記実施の形態では、映像信号Ｄinの間の動き量として、前後１フィールド間の動き量Ａ（i）と、前後２フィールド間の動き量Ｂ（i）との両方を用いると共に、動き量パターンｐ（i）として、前後１フィールド間の動き量パターンと、前後２フィールド間の動き量パターンとの両方を用いる場合について説明したが、例えば、前後１フィールド間の動き量Ａ（i）と、前後２フィールド間の動き量Ｂ（i）とのうちの一方を用いると共に、前後１フィールド間の動き量パターンと、前後２フィールド間の動き量パターンとのうちの一方を用いるようにしてもよい。このように構成した場合、上記実施の形態のように両方を用いて判別を行った場合と比べ、簡易に判別を行うことが可能となる。
【００８０】
また、映像信号Ｄinにおける信号源の種類や状態の種類として、これまでに挙げて説明したものには限られず、他のものを用いるようにしてもよい。
【００８１】
さらに、上記実施の形態では、本発明の信号判別装置および信号処理装置の適用例として、画像処理装置としてのＴＶ装置１を挙げて説明したが、本発明の信号判別装置および信号処理装置は、例えば図１０および図１１に示したような他の装置にも適用することが可能である。具体的には、図１０は、本発明の一実施の形態に係る再生装置（データ記録再生装置２）の全体ブロック構成を表したものである。このデータ記録再生装置２は、例えばＤＶＤ（Digital Versatile Disc）等の記録再生媒体に対する画像データの記録および再生を行う記録再生装置であり、アンテナ１１と、チューナ１２と、ＤＶＤ等の記録媒体に記録された画像データの再生を行うデータ記録再生部２０（本発明における「再生手段」の一具体例に対応）と、ＭＰＥＧデコーダ１３Ａと、上記実施の形態で説明した画像処理部１４および信号判別部１５と、ビデオ出力信号Ｖoutを出力する映像信号出力部１７とを備えている。また、図１１は、本発明の他の実施の形態に係る再生装置（データ再生装置３）の全体ブロック構成を表したものである。このデータ再生装置３は、例えばＤＶＤ等の記録媒体から画像データの再生を行う再生装置であり、ＤＶＤ等の記録媒体に記録された画像データの再生を行うデータ再生部３０（本発明における「再生手段」の一具体例に対応）と、ＭＰＥＧデコーダ１３Ａと、上記実施の形態で説明した画像処理部１４および信号判別部１５と、映像信号出力部１７とを備えている。
【図面の簡単な説明】
【００８２】
【図１】本発明の一実施の形態に係る画像表示装置の全体構成を表すブロック図である。
【図２】図１に示したデータ格納部内に格納されるパラメータのデータ構造の一例を表す模式図である。
【図３】図１に示したパターン発生部の詳細構成を表すブロック図である。
【図４】図１に示したパターン分析部の詳細構成を表すブロック図である。
【図５】図１に示したメイン判別部の詳細構成を表すブロック図である。
【図６】図１に示した分析制御部の詳細構成を表すブロック図である。
【図７】図１に示した画像表示装置における信号源の判別処理の際の前処理の一例を表す流れ図である。
【図８】図７に示した前処理の際に適用されるデータ格納部内のパラメータのデータ構造の一例を表す流れ図である。
【図９】図１に示した画像表示装置における信号源の判別処理の際のメイン処理の一例を表す流れ図である。
【図１０】本発明の一実施の形態に係る再生装置の全体構成を表すブロック図である。
【図１１】本発明の他の実施の形態に係る再生装置の全体構成を表すブロック図である。
【符号の説明】
【００８３】
１…ＴＶ装置、１１…アンテナ、１２…チューナ、１３…デコーダ、１３Ａ…ＭＰＥＧデコーダ、１４…画像処理部、１４１…シャープネス処理部、１４２…コントラスト変換部、１４３…フィルタ処理部、１４４…Ｉ／Ｐ変換部、１４５…オーバードライブ処理部、１５…信号判別部、１５１Ａ，１５１Ｂ…データ格納部、１５２…パターン発生部、１５２Ａ…しきい値格納部、１５２Ｂ…等号・不等号格納部、１５２Ｃ…詳細部類格納部、１５２Ｄ…しきい値分析格納部、１５２Ｅ…内部制御部、１５３…パターン分析部、１５３Ａ…パターン比較部、１５３Ｂ…加算部、１５３Ｃ…分析結果保持部、１５４…メイン判別部、１５４Ａ…重み付けデータ部、１５４Ｂ１〜１５４Ｂ５…乗算部、１５４Ｃ…フィルム信頼度格納部、１５５…分析制御部、１５５Ａ…低輝度カウンタ、１５５Ｂ…低動き量カウンタ、１５５Ｃ…Ｓｙｎｃ差分カウンタ、１５５Ｄ…しきい値処理部、１６…表示部、１７…映像信号出力部、２…データ記録再生装置、３…データ再生装置、３０…データ再生部、Ｄ１，Ｄ２，Ｄin，Ｄout…画像データ（映像信号）、Ｄａ，Ｄｂ…パラメータデータ、Ａ（i＋n），Ｂ（i＋n）…パラメータ（動き量）、ｐ（i＋n）…パターン（動き量パターン）、Ａout…分析結果データ、Ｊout…判別結果データ、Ｋａ〜Ｋｅ…重み付け係数、Ｖout…ビデオ信号。
【図１】
0005187568.tif 000002
【図２】
0005187568.tif 000003
【図３】
0005187568.tif 000004
【図４】
0005187568.tif 000005
【図５】
0005187568.tif 000006
【図６】
0005187568.tif 000007
【図７】
0005187568.tif 000008
【図８】
0005187568.tif 000009
【図９】
0005187568.tif 000010
【図１０】
0005187568.tif 000011
【図１１】
0005187568.tif 000012